(57)【要約】【課題】工業用ミシンの縫製及びメンテナンスの安全性及び作業性を向上するために、眩しさを抑え、視認性を向上させて、適切な照明を提供することができる。【解決手段】ＬＥＤ７１〜７３は、赤、緑、青それぞれの光で照明するための３つの光源である。光量制御部８０は、予め設定された光量及び光色となるように、これら光源を個別に光量制御する。【選択図】図１１
2006192179.tif 000002
【特許請求の範囲】
【請求項１】
縫製作業に際して、身生地を照明するためのミシン用照明装置において、
赤、緑、青それぞれの光で照明するための３つの光源と、
予め設定された光量及び光色となるように、これら光源を個別に光量制御する光量制御部と、
前記身生地に照射された前記光源の反射光の光量を検出する受光センサを備え、
前記３つの光源それぞれの該光量検出が、予め設定された光量となるように、前記光量制御部が、前記光源の光量を個別に制御するものであることを特徴とするミシン用照明装置。
【請求項２】
請求項１記載のミシン用照明装置において、
前記光量制御部に接続される操作パネルと、
前記操作パネルに設置され、任意の設定光量を指示可能なパレット領域を有することを特徴とするミシン用照明装置。
【発明の詳細な説明】
【技術分野】
【０００１】
本発明は、ミシン用照明装置に係り、特に、工業用ミシンの縫製及びメンテナンスの安全性及び作業性を向上するために、眩しさを抑え、視認性を向上させて、適切な照明を提供することができるミシン用照明装置に関する。なお、本願発明は、家庭用ミシンにも適用できることは言うまでもない。
【背景技術】
【０００２】
従来、ミシン用照明装置は、フレキシブルに可動する腕に取り付けられた白熱ランプである。又、この代替として、所定の位置にＬＥＤ（Light  Emitting  Diode）などの光源を設けている。
【０００３】
ミシン用照明装置は、ミシン本体の電源と連動して通電し、針落ちを照らすものである。又、ミシンの回転に応じて、照明のオン・オフや、光量の強弱を行うものもあり、縫製作業時の照明、又糸通し作業などの準備時の照明である。
【０００４】
特許文献１では、速度表示用ランプの照射によって、予め設定された速度に応じた速度表示を行うという技術が開示されている。特許文献２や特許文献３では、照明手段から発光される光の色を変更することによって、ミシンの異常を報知するようにしている。
【０００５】
特許文献４では、受光センサによって検知されるマーキングライトの光量が設定光量になるように、該マーキングライトの光量を調節することで、身生地に反射されるマーキングライトの反射光を見易くするという技術が開示されている。特許文献５では、作業領域の一様なかつ影のない照明のために、針棒の少なくとも２つの側に発光ダイオードを配置するようにしている。
【０００６】
【特許文献１】特開平４−６４３７６号公報
【特許文献２】特開平４−７１５９３号公報
【特許文献３】特開平１０−５７６５４号公報
【特許文献４】特開平２００２−１７７６７７号公報
【特許文献５】特開平２００３−２９０５８４号公報
【発明の開示】
【発明が解決しようとする課題】
【０００７】
しかしながら、従来のミシン用照明装置は、照明の光源部のミシンへの取り付け位置が固定されている。このため、フレキシブルな腕を用いたものでも、照明箇所や照明角度の自由度が少なくなっている。
【０００８】
又、ミシン用照明装置には、光量その他の調整機能が設けられていないので、照明の指向性の方向や、照明面積などの指向性の特性や、光量や光の色を調節することができない。
【０００９】
このため、身生地によっては、眩しかったり、視認性が悪くなったりしている。又、ミシン用照明装置の光源の通電が、ミシン本体の電源と連動しているため、針に糸を通す時にもミシン本体の電源を入れたままにする必要があり、その分危険が伴うおそれがある。更に、釜合せや駆動部などのメンテナンス作業時、せっかくの照明装置を使用できない。
【００１０】
本発明は、前記従来の問題点を解決するべくなされたもので、工業用ミシンの縫製及びメンテナンスの安全性及び作業性を向上するために、眩しさを抑え、視認性を向上させて、適切な照明を提供することができるミシン用照明装置を提供することを課題とする。
【課題を解決するための手段】
【００１１】
本願の発明は、縫製作業に際して、身生地を照明するためのミシン用照明装置において、赤、緑、青それぞれの光で照明するための３つの光源と、予め設定された光量及び光色となるように、これら光源を個別に光量制御する光量制御部と、前記身生地に照射された前記光源の反射光の光量を検出する受光センサを備え、前記３つの光源それぞれの該光量検出が、予め設定された光量となるように、前記光量制御部が、前記光源の光量を個別に制御するものであることにより、前記課題を解決したものである。
【００１２】
又、前記ミシン用照明装置において、前記光量制御部に接続される操作パネルと、前記操作パネルに設置され、任意の設定光量を指示可能なパレット領域を有することにより、前記課題を解決したものである。
【００１３】
以下、本発明の作用について、簡単に説明する。
【００１４】
本願発明は、光量制御や、ミシンのアーム部への取付けに、従来にはない工夫を施すことで、縫製時やメンテナンス時における照明を改善し、安全性及び作業性を向上するようにしている。
【００１５】
まず、縫製する身生地は、様々な色彩があり、眩しくなくかつ視認性をよくするためには、光量だけでなく、照明の光色が適切である必要がある。
【００１６】
このため、本願発明では、赤、緑、青それぞれの光で照明するための３つの光源を備える。又、予め設定された光量及び光色となるように、これら光源を個別に光量制御するようにしている。従って、縫製する身生地の色彩や色の明度に応じるなどして、光量だけでなく、照明の光色を調整することができる。
【００１７】
なお、本願発明において、光源に、光軸方向の一定指向性をもたせるようにしてもよい。これと共に、光軸を身生地の縫製位置又はその近傍に向けて、ミシンのアーム部の側面の取付け位置に、工具なしで装着・離脱自在に該光源を取り付ける冶具を備えるようにしてもよい。このようにした場合には、縫製時やメンテナンス時に、必要箇所を適切に照明することができる。例えば、照明のない部分も照明できるように速やかに対応したり、不均一な照明を補って一様な照明としたり、特定の部分は明るく照明したりすることも可能である。
【発明の効果】
【００１８】
このように、本願発明によれば、工業用ミシンの縫製及びメンテナンスの安全性及び作業性を向上するために、眩しさを抑え、視認性を向上させて、適切な照明を提供することができるミシン用照明装置を提供することができる。
【発明を実施するための最良の形態】
【００１９】
以下、図を用いて本発明の実施の形態を詳細に説明する。
【００２０】
図１及び図２は、それぞれ本願発明が適用された実施形態に用いられる、第１例の照明光源部及びその取付具を示す斜視図、あるいは側面図である。
【００２１】
照明光源部１には、図２に示すようにアーム部などのミシン本体５に吸着するためのマグネットを有する取付具１０が設けられている。該マグネットによって、照明光源部１は、自由な取り付け位置でミシン本体５に取り付けることができ、照明の指向性の方向も自由に調節できる。
【００２２】
図中、一点鎖線は、照明光源部１に内蔵される光源の光軸であり、照明の指向性は該光軸を中心にして対称になっており、図中下方に向いている。
【００２３】
又、照明光源部１において、光源部本体１ｂに対して、ヘリコイド部１ａが一点鎖線を回転軸として回転可能になっている。該回転に応じて、光源部本体１ｂからヘリコイド部１ａが伸縮することで、ヘリコイド部１ａに取り付けられた照明用レンズ、及び光源部本体１ｂ内蔵の光源の距離が伸縮し、照明光源部１による照明の指向性を、狭くしたり広くしたり調整できるようになっている。このようにして、本第１例、又後述する第２例や第３例の照明光源部１では、照明の指向性の、照明面積などの指向性の特性を調整することができるようになっている。
【００２４】
図３及び図４は、本願発明が適用された実施形態に用いられる、第２例の照明光源部及びその取付具を示す斜視図である。
【００２５】
照明光源部１には、取外式取付具１３を取り付けるための、取付具１２が設けられている。取外式取付具１３には、図４に示すようにミシンのアーム部に吸着するためのマグネット１４が設けられている。従って、照明光源部１の取付具１２に、図４のように取外式取付具１３を取り付けると、該マグネット１４によって、照明光源部１は、自由な取り付け位置でミシン本体５に取り付けることができ、照明の指向性の方向も自由に調節できる。
【００２６】
図５及び図６は、本願発明が適用された実施形態に用いられる、第３例の照明光源部及びその取付具を示す斜視図である。
【００２７】
照明光源部１には、取外式取付具１６を取り付けるための、取付具１２が設けられている。取外式取付具１６には、図５や図６に示すようにミシンのアーム部に取り付けるためのねじ穴１６ａが設けられている。該取り付けは、ミシン本体５に設けられる、ねじ山を有するねじ穴１８に、ねじ１７によってねじ止めするものである。照明光源部１の取付具１２に、図５や図６のように取外式取付具１６を取り付けると、該ねじ止めによって、照明光源部１は、自由な取り付け位置でミシン本体５に取り付けることができる。又、該ねじ止めは、１つのねじのみによるので、照明の指向性の方向も自由に調節できる。
【００２８】
図７は、照明光源部１の指向性の方向や、指向性の特性を示す側面図である。
【００２９】
この図において、一点鎖線が光軸であり、２つの二点鎖線１９Ａの範囲や、２つの二点鎖線１９Ｂの範囲、又矢印１９Ｃの範囲が、照明範囲である。
【００３０】
又、照明光源部１において、光源部本体１ｂに対して、ヘリコイド部１ａを、一点鎖線を回転軸として回転させ、光源部本体１ｂに該ヘリコイド部１ａを最も縮めた状態の照明範囲が、二点鎖線１９Ａである。又、同回転によって、光源部本体１ｂから該ヘリコイド部１ａを最も伸ばした状態の照明範囲が、二点鎖線１９Ｂである。
【００３１】
図８は、本実施形態におけるミシン本体への照明光源部１の取り付けを示す、ミシンアーム部を縫製作業者の左手側から見た側面図である。図９は、同様に、照明光源部１の取り付けを示す、ミシンアーム部を縫製作業者側から見た側面図である。
【００３２】
これらの図において、符号２０〜２２は、それぞれ照明光源部１であり、これら図の間で同一符号は同一取付位置になっている。このように、照明光源部１は、ミシン本体５の様々な取り付け位置に取り付けることができる。又、ミシンのメンテナンスの際には、通常の縫製とは無関係の位置にも、照明光源部１を取り付けることが可能であり、作業性を向上することが可能になる。なお、符号２４は、針棒付近の身生地である。
【００３３】
図１０は、本実施形態におけるミシン用照明装置の電源のブロック図である。
【００３４】
この図において、ミシン本体４０には、主電源スイッチ４２が設けられている。該主電源スイッチ４２によって、ミシン本体制御部４４やモータ４６などのミシン本体４０の電源がオン・オフされるもとする。
【００３５】
又、本実施形態のミシン用照明装置６０は、直流電源装置６１と、ミシン用照明装置制御部６３と、照明光源部１と、を有している。又、該照明光源部１は、光源となる赤のＬＥＤ７１、緑のＬＥＤ７２、青のＬＥＤ７３を有している。
【００３６】
そうして、このようなミシン用照明装置６０の電源は、主電源スイッチ４２より上流の、外部の電源側から供給する。従って、主電源スイッチ４２のオン・オフにかかわらず、ミシン用照明装置６０による照明を行うことができる。例えば、針に糸を通す時にも、ミシン本体の電源を入れずに、ミシン用照明装置６０による照明を行うことができ、安全な作業をすることができる。又、後述する図１１に示すように、ミシン本体制御部４４から電源入信号を得ているので、主電源スイッチ４２のオン・オフに従って、該ミシン用照明装置６０による照明をオン・オフすることも可能になっている。
【００３７】
なお、直流電源装置６１の電源を、主電源スイッチ４２の下流側の符号５１からとる場合は、充電電池電源装置６５を設けるようにする。これによって、主電源スイッチ４２のオン・オフにかかわらず、ミシン用照明装置６０による照明を行うことができる。
【００３８】
このように充電電池電源装置６５を設けた場合は、外部からミシン本体４０への電源供給がなくとも、ミシン用照明装置６０による照明をすることができる。例えば、ミシンの電源部をメンテナンスする際に、主電源スイッチ４２に至る電源経路を停電させることも可能であり、これにより、作業の安全性を高めつつ、照明活用によって作業性を向上することができる。
【００３９】
なお、充電電池電源装置６５を設ける場合、光量制御部８０に消し忘れタイマを設け、縫製者が任意に設定できる、例えば、５〜３０分程度の時間で照明光源部１による照明をオフするようにしてもよい。あるいは、即座にオフとせず、一定時間、例えば１〜５分程度の比較的短い時間（縫製者が任意に設定可能としてもよい）、暗い照明とした後に、照明をオフするようにしてもよい。
【００４０】
ここで、直流電源装置６１、ミシン用照明装置制御部６３、又適宜設けられる充電電池電源装置６５は、表面に図１２の操作パネル８１が設けられた、薄型で名刺大のケースに設けられている。該ケースは、マグネットやねじ止めなどでミシン本体に取り付けることが可能になっている。
【００４１】
図１１は、本実施形態のミシン用照明装置制御部６３の内部構成を示すブロック図である。
【００４２】
ミシン用照明装置制御部６３は、光量制御部８０と、図１２に示すような操作パネル８１と、有している。又、該光量制御部８０は、輝度色調制御部９０と、赤のＬＥＤ７１の光量を制御する照明輝度制御部９１と、緑のＬＥＤ７２の光量を制御する照明輝度制御部９２と、青のＬＥＤ７３の光量を制御する照明輝度制御部９３と、を有している。なお、該輝度色調制御部９０は、ＣＰＵ（Central  Processing  Unit）８３と、ＣＰＵ８３による処理過程のデータなどを書き込むＲＡＭ（Random  Access  Memory）８４と、該ＣＰＵ８３で実行されるプログラムなどが書き込まれているＲＯＭ（Read  Only  Memory）８５と、操作パネル８１に対して信号入出力し、ミシン本体制御部４４から電源入信号を入力するＩ／Ｆ（Inter  Face）装置８６と、照明光源部１が内蔵する受光センサ７５から検知される光量に応じたアナログ信号を入力するＡ／Ｄ（Analog  to  Digital）変換器８７と、光源の光量に応じたアナログ信号を出力するＤ／Ａ（Digital  to  Analog）変換器８８と、これらを相互接続するバス８９とを有している。なお、受光センサ７５は、照明光源部１とは別に設けるようにしてもよい。
【００４３】
図１３〜図１５は、本実施形態における光量制御を示すフローチャートである。
【００４４】
これらの図は、全体として本願発明の処理を示すものであり、作図の便宜上、これらの図に分割されたものである。又、ステップＳ１０２以外の処理は、すべて輝度色調制御部９０で行われる処理になっている。
【００４５】
まず、ステップＳ１０２では、縫製者が身生地をミシン本体５にセットする。この身生地には、種々の色地や柄物がある。又、該ステップＳ１０２においては、予め、照明光源部１が身生地を照明するように、ミシン本体５に取り付けられている。
【００４６】
本実施形態においては、赤のＬＥＤ７１、緑のＬＥＤ７２、青のＬＥＤ７３の照明による反射光が、それぞれ設定光量になるように、赤色、緑色、青色の光量制御をこの順に行う。
【００４７】
まず、赤色の光量制御として、ステップＳ１１２〜ステップＳ１１７が行われる。
【００４８】
まずステップ１１２では、赤のＬＥＤ７１のみによって、つまり緑のＬＥＤ７２や青のＬＥＤ７３はオフにして、身生地の照明を行う。ステップＳ１１３では、受光センサ７５から入力されるアナログ信号をＡ／Ｄ変換器８７を介して読取り、この照射時の反射光の光量を検出し、該検出光量をＲＡＭ８４に一時的に記憶させる。
【００４９】
続くステップＳ１１４では、先のステップＳ１１３で記憶した赤の要素光の光量が、設定光量の赤の要素光の光量と同じであるか否かを判定する。なお、設定光量のデータは、例えば、予めＲＡＭ６３に記憶されている。
【００５０】
ステップＳ１１４にて、同じでないと判定される場合には（通常、作業のはじめには、同じでないと判定される）、ステップＳ１１５に移行する。又、同じでないと判定される場合には、ステップＳ１１２〜ステップＳ１１７に係る、この赤色の光量制御が終了して、ステップＳ１２２に進む。
【００５１】
ステップＳ１１５では、先のステップＳ１１３で記憶した反射光に含まれる赤の要素光の光量が、設定光量の赤の要素光の光量に対してどれだけ大きいか、又はどれだけ小さいかを判定する。ステップＳ１１５にて小さいと判定される場合には、ステップＳ１１６に移行し、受光センサ２にて受光される反射光の赤の要素光の光量が、設定光量の赤の要素光の光量と同じになるように、赤のＬＥＤの発光量を増加させる。他方、ステップＳ１１５にて大きいと判定される場合には、ステップＳ１１７に移行し、受光センサ２にて受光される反射光の赤の要素光の光量が、設定光量の赤の要素光の光量と同じになるように、赤のＬＥＤの発光量を減少させる。これにより、反射光のうち、先ず、赤の要素光の光量が設定光量と同じに調節される。
【００５２】
ステップＳ１１６又はステップＳ１１７に続いては、ステップＳ１１２に復帰する。ステップＳ１１２〜ステップＳ１１４にて再び上記と同様の処理を行うと、今回は、ステップＳ１１４にて、ステップＳ１１３で受光した反射光に含まれる赤の要素光の光量が、設定光量の赤の要素光の光量と同じであると判定され、この赤色の光量制御が終了して、ステップＳ１２２に進む。
【００５３】
この赤色の光量制御の後、次に、ステップＳ１２２から始まる緑色の光量制御は、該ステップＳ１２２において緑のＬＥＤ７２のみ（赤のＬＥＤ７１及び青のＬＥＤ７３はオフ）による照射を開始した後、上述のステップＳ１１３〜ステップＳ１１７と同じ処理を、この緑のＬＥＤ７２による照射について行う。又、緑の要素光の光量が、設定光量の緑の要素光の光量と同じになったと判定されると、この緑色の光量制御を終了し、ステップＳ１３２から始まる青色の光量制御に進む。
【００５４】
緑色の光量制御の後、ステップＳ１２２から始まる青色の光量制御は、該ステップＳ１３２において青のＬＥＤ７３のみ（赤のＬＥＤ７１及び緑のＬＥＤ７２はオフ）による照射を開始した後、上述のステップＳ１１３〜ステップＳ１１７と同じ処理を、この青のＬＥＤ７３による照射について行う。又、緑の要素光の光量が、設定光量の緑の要素光の光量と同じになったと判定されると、この緑色の光量制御を終了し、図１４のステップＳ１５２に進む。なお、このステップＳ１５２に進む時点では、照明光源部１による照明の反射光の、赤、緑、青の各要素光の光量が、設定光量の、赤、緑、青の各要素光の光量とそれぞれ同じに設定され、その結果、該反射光が設定光量に自動調節される。又、同時に反射光が設定色に自動調節される。なお、ここで、ＣＰＵ８３は、光量調節手段および光色調節手段として機能する。
【００５５】
次に、ステップＳ１５２〜１６４は、図１２に示される操作パネル８１において、最下段の中央やや左の「補正値設定ＳＷ」、又、右上端から下へ設けられる６つのスイッチ、即ち、上から順に、スイッチ▲（Ｒ＋スイッチ）、スイッチ▼（Ｒ−スイッチ）、スイッチ▲（Ｇ＋スイッチ）、スイッチ▼（Ｇ−スイッチ）、スイッチ▲（Ｂ＋スイッチ）、スイッチ▼（Ｂ−スイッチ）に係る操作を受けうけ、赤、緑、青の該当の要素光の設定光量を、補正修正する処理である。
【００５６】
まず、ステップＳ１５２において、「補正値設定ＳＷ」がオフと判定されると、この補正修正する処理をせずに、ステップＳ１６６に進む。
【００５７】
他方、「補正値設定ＳＷ」がオンと判定されると、ステップＳ１５３〜１６４の処理を行うことになる。
【００５８】
即ち、ステップＳ１５３において、スイッチ▲（Ｒ＋スイッチ）が押下されていると判定されると、ステップＳ１５５により、Ｒ（赤）設定光量を上げ、又、操作が継続すればするほど増加させる処理を行う。ステップＳ１５３において、スイッチ▼（Ｒ−スイッチ）が押下されていると判定されると、ステップＳ１５４により、Ｒ（赤）設定光量を下げ、又、操作が継続すればするほど減少させる処理を行う。ステップＳ１５３において、スイッチ▲（Ｒ＋スイッチ）及びスイッチ▼（Ｒ−スイッチ）のいずれも押下されていないと判定される場合は、ステップＳ１５６に進む。又、ステップＳ１５４及び１５５の後には、ステップＳ１５３の前方に分岐する。
【００５９】
ステップＳ１５６において、スイッチ▲（Ｇ＋スイッチ）が押下されていると判定されると、ステップＳ１５８により、Ｇ（緑）設定光量を上げ、又、操作が継続すればするほど増加させる処理を行う。ステップＳ１５６において、スイッチ▼（Ｇ−スイッチ）が押下されていると判定されると、ステップＳ１５７により、Ｇ（緑）設定光量を下げ、又、操作が継続すればするほど減少させる処理を行う。ステップＳ１５６において、スイッチ▲（Ｒ＋スイッチ）及びスイッチ▼（Ｒ−スイッチ）のいずれも押下されていないと判定される場合は、ステップＳ１６２に進む。又、ステップＳ１５７及び１５８の後には、ステップＳ１５３の前方に分岐する。
【００６０】
ステップＳ１６２において、スイッチ▲（Ｂ＋スイッチ）が押下されていると判定されると、ステップＳ１６４により、Ｂ（青）設定光量を上げ、又、操作が継続すればするほど増加させる処理を行う。ステップＳ１６２において、スイッチ▼（Ｂ−スイッチ）が押下されていると判定されると、ステップＳ１６３により、Ｂ（青）設定光量を下げ、又、操作が継続すればするほど減少させる処理を行う。ステップＳ１６２において、スイッチ▲（Ｒ＋スイッチ）及びスイッチ▼（Ｒ−スイッチ）のいずれも押下されていないと判定される場合は、ステップＳ１６６に進む。又、ステップＳ１６３及び１６４の後には、ステップＳ１５３の前方に分岐する。
【００６１】
続いて、ステップＳ１６６〜１６８は、図１２に示される操作パネル８１において、最下段のほぼ中央の「パレット有効ＳＷ」、又、左端の上側から下端に至る矩形領域（パレット領域）における指先接触位置による座標入力に係る操作を受け、該座標入力に応じて、赤、緑、青の各要素光の設定光量を入力する処理である。このパレット領域においては様々な色合いが表示され、このパレット領域において指先を接触させて該接触の座標入力を行うと、輝度色調制御部９０において、その指先接触位置の色合いの選択入力が受付けられることになる。
【００６２】
まず、ステップＳ１６６において、「パレット有効ＳＷ」がオフと判定されると、この設定光量を入力する処理をせずに、ステップＳ１７２に進む。
【００６３】
他方、「パレット有効ＳＷ」がオンと判定されると、ステップＳ１６７において、上記の指先接触位置の色合いの選択入力を受付ける。ステップＳ１６８では、前述のパレット領域の情報にある別の矩形領域において、該選択の色を表示すると共に、該色を、設定光量の候補として、ＲＡＭ８４に一時記憶させる。
【００６４】
次に、ステップＳ１７２では、図１２の右端中央にある「記憶ＳＷ」の押下を判定する。押下されていると判定された場合は、ステップＳ１７３において、ステップＳ１５２〜１６８において設定された、赤、緑、青の各要素光の設定光量を記憶させる。又、記憶された赤、緑、青の各要素光の設定光量による色合いは、該「記憶ＳＷ」の左側の横長の矩形領域に、複数、記憶させた順に左から右に並べて表示される。
【００６５】
続いてステップＳ１７５では、上述のように並べられている色合いのいずれかが、指先接触によって選択されたか否か判定する。選択されたと判定された場合は、ステップＳ１７６において、選択した色を、最左上の矩形領域に表示する。
【００６６】
次に、ステップＳ１７８では、図１２の最右下にある「リセットＳＷ」が押下されたか否か判定する。押下されたと判定された場合は、ステップＳ１１２の前方に分岐し、押下されていないと判定された場合はステップＳ１５２の前方に分岐する。
【００６７】
以上説明したように、本実施形態によれば、本願発明を効果的に適用することができる。又、本実施形態では、受光センサ７５により反射光が各要素光で設定光量になるようにしているので、身生地が、色地のものでも柄物でも、縫製者による視認において、光量や光色を一定にすることができる。更に、ヘリコイド部１ａを回転させて、光源部本体１ｂからヘリコイド部１ａが伸縮することで、照明光源部１による照明の指向性を、狭くしたり広くしたり調整でき、照明をきめ細かく調整することができる。又、照明光源部１は、光量制御部８０などとは独立、又別置型としたので、小型化することが容易であり、ミシンの様々な位置に取り付けることが可能になっている。
【００６８】
なお、本実施形態において、上述のヘリコイド部１ａの伸縮により焦点合わせが可能であり、照明光源部１をマーキングライトとして用いることも可能である。このヘリコイド部１ａの伸縮を、伸縮量をセンサ検出しながら行う電動式にしてもよい。
【００６９】
又、照明光源部１において、赤のＬＥＤ７１、緑のＬＥＤ７２、青のＬＥＤ７３を個別としているが、単色のＬＥＤに色フィルタを用いてもよい。あるいは、色の異なるものなど、多数のＬＥＤを選択的にオン・オフすることで、光量や光色を変更できるようにしてもよい。
【産業上の利用可能性】
【００７０】
以上説明したとおり、本発明によれば、工業用ミシンの縫製及びメンテナンスの安全性及び作業性を向上するために、眩しさを抑え、視認性を向上させて、適切な照明を提供することができるミシン用照明装置を提供することができる。
【図面の簡単な説明】
【００７１】
【図１】本願発明が適用された実施形態に用いられる、第１例の照明光源部及びその取付具を示す斜視図
【図２】上記第１例の照明光源部及びその取付具を示す側面図
【図３】前記実施形態の第２例の照明光源部及びその取付具を示す斜視図
【図４】上記第２例の照明光源部及びその取付具を示す側面図
【図５】前記実施形態の第３例の照明光源部及びその取付具を示す斜視図
【図６】上記第３例の照明光源部及びその取付具を示す側面図
【図７】前記実施形態の照明光源部の指向性の方向や、指向性の特性を示す側面図
【図８】前記実施形態におけるミシン本体への照明光源部１の取り付けを示す、ミシンアーム部を縫製作業者の左手側から見た側面図
【図９】上記照明光源部の取り付けを示す、ミシンアーム部を縫製作業者側から見た側面図
【図１０】前記実施形態におけるミシン用照明装置の電源のブロック図
【図１１】前記実施形態のミシン用照明装置制御部の内部構成を示すブロック図
【図１２】前記実施形態の操作パネルを示す平面図
【図１３】前記実施形態における光量制御を示す第１のフローチャート
【図１４】上記フローチャートに続く第２のフローチャート
【図１５】上記フローチャートに続く第３のフローチャート
【符号の説明】
【００７２】
１…照明光源部
１ａ…ヘリコイド部
１ｂ…光源部本体
１０、１２…取付具
１３、１６…取外式取付具
１４…マグネット
１６ａ…ねじ穴
１７…ねじ
１８…ねじ山を有するねじ穴
１９Ａ、１９Ｂ…照明範囲
２０〜２２…取付位置
２４…身生地
４０…ミシン本体
４２…主電源スイッチ
４４…ミシン本体制御部
４６…モータ
６０…ミシン用照明装置
６１…直流電源装置
６３…ミシン用照明装置制御部
６５…充電電池電源装置
７１…赤のＬＥＤ
７２…緑のＬＥＤ
７３…青のＬＥＤ
７５…受光センサ
８０…光量制御部
８１…操作パネル
８３…ＣＰＵ
８４…ＲＡＭ
８５…ＲＯＭ
８６…Ｉ／Ｆ装置
８７…Ａ／Ｄ変換器
８８…Ｄ／Ａ変換器
９０…輝度色調制御部
９１…照明輝度制御部（Ｒ）
９２…照明輝度制御部（Ｇ）
９３…照明輝度制御部（Ｂ）
【図１】
2006192179.tif 000003
【図２】
2006192179.tif 000004
【図３】
2006192179.tif 000005
【図４】
2006192179.tif 000006
【図５】
2006192179.tif 000007
【図６】
2006192179.tif 000008
【図７】
2006192179.tif 000009
【図８】
2006192179.tif 000010
【図９】
2006192179.tif 000011
【図１０】
2006192179.tif 000012
【図１１】
2006192179.tif 000013
【図１２】
2006192179.tif 000014
【図１３】
2006192179.tif 000015
【図１４】
2006192179.tif 000016
【図１５】
2006192179.tif 000017